【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
タッチパネルを有する携帯端末装置であって、
前記タッチパネルの表示は複数の入力枠を含み、
第１の情報を前記複数の入力枠のそれぞれに割り当てて表示し、
前記複数の入力枠の一が押下されていると、当該一の入力枠に隣接する他の入力枠に表示していた第１の情報に代えて、前記押下された入力枠に表示した第１の情報に付随する第２の情報を表示することを特徴とする携帯端末装置。
【請求項２】
前記第２の情報は、当該一の入力枠に隣接する他の入力枠に表示されている第１の情報の有無に関わらず、表示することを特徴とする請求項１に記載の携帯端末装置。
【請求項３】
前記第２の情報を、前記押下された入力枠の上、下、左、右のうちの少なくとも２つの方向に表示する請求項１または２に記載の携帯端末装置。
【請求項４】
前記第２の情報を、前記押下された入力枠の上、下、左、右の全方向に表示する請求項１から３のいずれかに記載の携帯端末装置。
【請求項５】
前記第２の情報を、前記押下された入力枠の左上、左下、右上、右下のうちの少なくとも２つの方向に表示する請求項１から４のいずれかに記載の携帯端末装置。
【請求項６】
前記第２の情報を、上、下、左、右、左上、左下、右上、右下のうちの一又は複数の方向のそれぞれに１つのみ表示する請求項１から５のいずれかに記載の携帯端末装置。
【請求項７】
前記押下された入力枠に表示した第１の情報を、前記第２の情報を表示しているときにも継続して表示する請求項１から６のいずれかに記載の携帯端末装置。
【請求項８】
前記第２の情報は、前記押下された入力枠に表示した第１の情報と同じ行に属する情報である請求項１から７のいずれかに記載の携帯端末装置。
【請求項９】
前記第１の情報は、「あ」列の文字である請求項１から８のいずれかに記載の携帯端末
装置。
【請求項１０】
前記第一の情報は、「あ」、「か」、「さ」、「た」、「な」、「は」、「ま」、「や」、「ら」、及び「わ」の文字を含み、
前記「あ」、前記「か」、前記「さ」を横一列に並べて表示し、
前記「た」、前記「な」、前記「は」を前記「あ」、前記「か」、前記「さ」の並びの下に横一列に並べて表示し、
前記「ま」、前記「や」、前記「ら」を前記「た」、前記「な」、前記「は」の並びの下に横一列に並べて表示し、
前記「わ」を前記「ま」、前記「や」、前記「ら」の並びの下に表示する請求項１から９のいずれかに記載の携帯端末装置。
【請求項１１】
前記押下された第１の情報の「い」列に対応する第２の情報を上、下、左、右、左上、左下、右上、右下のうちのいずれか一の方向である第1の方向に表示し、
前記押下された第1の情報の「う」列に対応する第２の情報を上、下、左、右、左上、左下、右上、右下のうちの前記第1の方向とは異なるいずれか一の方向である第２の方向に表示し、
前記押下された第1の情報の「え」列に対応する第２の情報を上、下、左、右、左上、左下、右上、右下のうちの前記第１および第２の方向とは異なるいずれか一の方向である第３の方向に表示し、
前記押下された第１の情報の「お」列に対応する第２の情報を上、下、左、右、左上、左下、右上、右下のうちの前記第１から第３の方向とは異なるいずれか一の方向である第４の方向に表示する請求項１から１０のいずれかに記載の携帯端末装置。
【請求項１２】
前記タッチパネルが押下され、その後リリースされた際、当該リリース直前に押下されていた前記タッチパネル上の位置に対応する前記第１の情報又は第２の情報のいずれかを入力情報とする請求項１から１１のいずれかに記載の携帯端末装置。
【請求項１３】
タッチパネルを有する携帯端末装置であって、
前記タッチパネルの表示は複数の入力枠を含み、
第１の情報を前記複数の入力枠のそれぞれに割り当てて表示し、
前記複数の入力枠の一が押下されていると、当該一の入力枠の上、下、左、右のうちの少なくとも２つの方向に前記押下された入力枠に表示した第１の情報に付随する第２の情報を表示することを特徴とする携帯端末装置。
【請求項１４】
複数の第１の情報を、タッチパネルの表示に含まれる複数の入力枠のそれぞれに割り当てて表示し、
前記複数の入力枠の一が押下されると、当該一の入力枠に隣接する他の入力枠に表示していた第１の情報に代えて、前記押下された入力枠に表示した第１の情報に付随する第２の情報を表示することを特徴とする表示方法。
【請求項１５】
前記第２の情報を、前記押下された入力枠の上、下、左、右のうちの少なくとも２つの方向に表示する請求項１４に記載の表示方法。
【請求項１６】
前記第２の情報を、前記押下された入力枠の上、下、左、右の全方向に表示する請求項１４または１５に記載の表示方法。
【請求項１７】
前記第２の情報を、前記押下された入力枠の左上、左下、右上、右下のうちの少なくとも２つの方向に表示する請求項１４から１６のいずれかに記載の表示方法。
【請求項１８】
前記第２の情報を、上、下、左、右、左上、左下、右上、右下のうちの一又は複数の方向のそれぞれに１つのみ表示する請求項１４から１７のいずれかに記載の表示方法。
【請求項１９】
前記押下された入力枠に表示した第１の情報を、前記第２の情報を表示しているときにも継続して表示する請求項１４から１８のいずれかに記載の表示方法。
【請求項２０】
前記第２の情報は、前記押下された入力枠に表示した第１の情報と同じ行に属する情報である請求項１４から１９のいずれかに記載の表示方法。
【請求項２１】
前記第１の情報は、「あ」列の文字である請求項１４から２０のいずれかに記載の表示方法。
【請求項２２】
前記第一の情報は、「あ」、「か」、「さ」、「た」、「な」、「は」、「ま」、「や」、「ら」、及び「わ」の文字を含み、
前記「あ」、前記「か」、前記「さ」を横一列に並べて表示し、
前記「た」、前記「な」、前記「は」を前記「あ」、前記「か」、前記「さ」の並びの下に横一列に並べて表示し、
前記「ま」、前記「や」、前記「ら」を前記「た」、前記「な」、前記「は」の並びの下に横一列に並べて表示し、
前記「わ」を前記「ま」、前記「や」、前記「ら」の並びの下に表示する請求項１４から２１のいずれかに記載の表示方法。
【請求項２３】
前記押下された第１の情報の「い」列に対応する第２の情報を上、下、左、右、左上、左下、右上、右下のうちのいずれか一の方向である第1の方向に表示し、
前記押下された第1の情報の「う」列に対応する第２の情報を上、下、左、右、左上、左下、右上、右下のうちの前記第1の方向とは異なるいずれか一の方向である第２の方向に表示し、
前記押下された第1の情報の「え」列に対応する第２の情報を上、下、左、右、左上、左下、右上、右下のうちの前記第１および第２の方向とは異なるいずれか一の方向である第３の方向に表示し、
前記押下された第１の情報の「お」列に対応する第２の情報を上、下、左、右、左上、左下、右上、右下のうちの前記第１から第３の方向とは異なるいずれか一の方向である第４の方向に表示する請求項１４から２２のいずれかに記載の表示方法。
【請求項２４】
前記タッチパネルが押下され、その後リリースされた際、当該リリース直前に押下されていた前記タッチパネル上の位置に対応する前記第１の情報又は第２の情報のいずれかを入力情報とする請求項１４から２３のいずれかに記載の表示方法。
【請求項２５】
タッチパネルを有する携帯端末装置であって、
前記タッチパネルの表示は複数の入力枠を含み、
第１の情報を前記複数の入力枠のそれぞれに割り当てて表示し、
前記複数の入力枠の一が押下されていると、当該一の入力枠の上、下、左、右のうちの少なくとも２つの方向に前記押下された入力枠に表示した第１の情報に付随する第２の情報を表示することを特徴とする表示方法。